(57)【要約】      （修正有） 【課題】例えば半身麻痺等、手の動きが不自由な者が利用するに最適とする新規のトイレットペーパー用具を提供する。【解決手段】一回に使用する分量のトイレットペーパーを正方形状に重ね合わせて１単位のトイレットペーパー単体Ａを形成し、所要単位数の当該トイレットペーパー単体Ａを、上位にあるものと下位にあるものとを互いに４５度ずらすようにして互い違いに縦方向に重ね合わせると共に、何れのトイレットペーパー単体Ａもその一つの隅角部が、正面側に向くように配置するように構成したトイレットペーパー用具。【選択図】図１
0003144982.tif 000002
【実用新案登録請求の範囲】
【請求項１】
一回に使用する分量のトイレットペーパーを正方形状に重ね合わせて１単位のトイレットペーパー単体(Ａ)を形成し、所要単位数の当該トイレットペーパー単体(Ａ)を、上位にあるものと下位にあるものとを互いに４５度ずらすようにして互い違いに縦方向に重ね合わせると共に、何れのトイレットペーパー単体Ａもその一つの隅角部が、正面側に向くように配置するように構成したトイレットペーパー用具。  
【請求項２】
一回に使用する分量のトイレットペーパーを正方形状に重ね合わせて１単位のトイレットペーパー単体(Ａ)を形成し、所要単位数の当該トイレットペーパー単体(Ａ)を、上位にあるものと下位にあるものとを互いに４５度ずらすようにして互い違いに縦方向に重ね合わせるように構成したトイレットペーパー群(Ｍ)を、その何れのトイレットペーパー単体(Ａ)もその一つの隅角部が正面側に向くようにして、正面を開口面とする縦長状を呈する容体(１)内に収容し、更に、当該容体(１)の背面寄り内部に、当該トイレットペーパー群(Ｍ)の背面側の各隅角部をしっくりと受け入れることによってその積重ね状態での安定化を図るための安定用ガイド板(３)を衝立状に収装して成るトイレットペーパー用具。
【請求項３】
ロール型トイレットペーパーを所要長さつづら折り状または扁平巻き回状に折畳むことにより、正方形状のトイレットペーパー単体(Ａ)を形成するように構成した請求項1または請求項２の何れかに記載のトイレットペーパー用具。
【請求項４】
方形状を呈する大きな一枚のトイレットペーパー生地を所要回数折畳むことにより、正方形状のトイレットペーパー単体(Ａ)を形成するように構成した請求項1または請求項２の何れかに記載のトイレットペーパー用具。
【請求項５】
正面側が高くなるようなテーパー状上面(2ａ)を具えた受け台(２)を、容体(１)の底面部上面に取付けると共に、当該テーパー状上面(2ａ)上に、トイレットペーパー群(Ｍ)を載置するように構成した請求項２乃至請求項４の何れかに記載のトイレットペーパー用具。
【請求項６】
容体(１)及び安定用ガイド板(３)と略同一形態を呈する、正面側容体(10)と正面側安定用ガイド板(13)を用いて、露出状態にある正面部分を覆うように構成した請求項２乃至請求項５の何れかに記載のトイレットペーパー用具。
【請求項７】
容体(１)部分と正面側容体(10)部分とを一体成形された縦長な紙箱で形成し、両者の隣接部分に切裂き用部分(Ｂ)をミシン孔等によってその全周に亘って形成し、購入後の使用に際しては当該切裂き用部分(Ｂ)を切離することにより、正面側容体10部分を除去するように構成した請求項６に記載のトイレットペーパー用具。
【考案の詳細な説明】
【技術分野】
【０００１】
本考案は、例えば半身麻痺等、手の動きが不自由な者が利用するに最適なトイレットペーパー用具に関する。
【背景技術】
【０００２】
従来、トイレットペーパーと言えばロール状のものが大半である。  然し乍、このような形態のものであると、その使用に際して両手で引っ張り出さなければならないため、半身麻痺等、手の動きが不自由な者が利用するには著しい困難性が伴うことを余儀なくされた。
【０００３】
そして、片手で取り出すことが出来るような形態のトイレットペーパーとしては、多層かつ所定の大きさに折畳んだトイレットペーパーを多数重ね、この束を上下方向に長い紙製の箱に収納し、この箱の前面から上面にかけて取外し可能な窓片を設け、この箱の後面若しくは上面に吊り下げ手段を備えたトイレットペーパー用具がある（例えば、特許文献１参照。）。
【０００４】
更に、片手で取り出すことが出来るような形態のトイレットペーパーとしては、上端が開口した中空容体の底部を、器体の側面下端に内接して立つ円錐をもって形成し、当該円錐容器内にトイレット用ちり紙を束ねて収容するように構成したトイレットペーパー容器がある（例えば、特許文献２参照。）。
【０００５】
また、トイレットペーパーとして適性のある材料をあらかじめトイレで使用するための、一度分の使用に適した厚みと面積にしておき、これを適当枚数まとめて一包装にしたトイレットペーパーがある（例えば、特許文献３参照。）。
【０００６】
【特許文献１】実用新案公開昭６１−２２７７８号公報
【特許文献２】実用新案公告昭４５−１２１９０号公報
【特許文献３】実用新案公開平０７−１３２９５号公報
【考案の開示】
【考案が解決しようとする課題】
【０００７】
上述した従来例は、各トイレットペーパーをその四隅を揃えた状態とするように整然と重ねた状態で、箱等に収容しておくように構成したものであった。  従って、手が不自由なものに於いては、このように整然と重ねてあるトイレットペーパーを一枚ずつ剥がすが如き取出しは、顕著な困難性を伴い、場合によっては不必要なほど多量のトイレットペーパーを掴み取ってしまうというような問題が伴うことを余儀なくされた。
【０００８】
本考案はこのような従来の問題を解消し、手の動きの不自由な者であっても、一枚ずつ取り出すことが容易に出来るように構成した新規のトイレットペーパー用具の提供を図ったものである。
【課題を解決するための手段】
【０００９】
本考案は請求項１に記載のように、一回に使用する分量のトイレットペーパーを正方形状に重ね合わせて１単位のトイレットペーパー単体Ａを形成し、所要単位数の当該トイレットペーパー単体Ａを、上位にあるものと下位にあるものとを互いに４５度ずらすようにして互い違いに縦方向に重ね合わせると共に、何れのトイレットペーパー単体Ａもその一つの隅角部が、正面側に向くように配置するように構成したトイレットペーパー用具に係るものである。
【００１０】
更に、本考案は請求項２に記載のように、一回に使用する分量のトイレットペーパーを正方形状に重ね合わせて１単位のトイレットペーパー単体Ａを形成し、所要単位数の当該トイレットペーパー単体Ａを、上位にあるものと下位にあるものとを互いに４５度ずらすようにして互い違いに縦方向に重ね合わせるように構成したトイレットペーパー群Ｍを、その何れのトイレットペーパー単体Ａもその一つの隅角部が正面側に向くようにして、正面を開口面とする縦長状を呈する容体１内に収容し、更に、当該容体１の背面寄り内部に、当該トイレットペーパー群Ｍの背面側の各隅角部をしっくりと受け入れることによってその積重ね状態での安定化を図るための安定用ガイド板３を衝立状に収装して成るトイレットペーパー用具に係るものである。
【００１１】
そして、本考案は請求項３に記載のように、ロール型トイレットペーパーを所要長さつづら折り状または扁平巻き回状に折畳むことにより、正方形状のトイレットペーパー単体Ａを形成するように構成した請求項1または請求項２の何れかに記載のトイレットペーパー用具を実施の態様とする。
【００１２】
更に、本考案は請求項４に記載のように、方形状を呈する大きな一枚のトイレットペーパー生地を所要回数折畳むことにより、正方形状のトイレットペーパー単体Ａを形成するように構成した請求項1または請求項２の何れかに記載のトイレットペーパー用具を実施の態様とする。
【００１３】
更に、本考案は請求項５に記載のように、正面側が高くなるようなテーパー状上面2ａを具えた受け台２を、容体１の底面部上面に取付けると共に、当該テーパー状上面2ａ上に、トイレットペーパー群Ｍを載置するように構成した請求項２乃至請求項４の何れかに記載のトイレットペーパー用具を実施の態様とする。
【００１４】
更に、本考案は請求項６に記載のように、容体１及び安定用ガイド板３と略同一形態を呈する、正面側容体10と正面側安定用ガイド板13を用いて、露出状態にある正面部分を覆うように構成した請求項２乃至請求項５の何れかに記載のトイレットペーパー用具を実施の態様とする。
【００１５】
更に、本考案は請求項７に記載のように、容体１部分と正面側容体10部分とを一体成形された縦長な紙箱で形成し、両者の隣接部分に切裂き用部分Ｂをミシン孔等によってその全周に亘って形成し、購入後の使用に際しては当該切裂き用部分Ｂを切離することにより、正面側容体10部分を除去するように構成した請求項６に記載のトイレットペーパー用具を実施の態様とする。
【考案の効果】
【００１６】
本考案は請求項1に記載のような構成、すなわち、一回に使用する分量のトイレットペーパーを正方形状に重ね合わせて１単位のトイレットペーパー単体Ａを形成し、所要単位数の当該トイレットペーパー単体Ａを、上位にあるものと下位にあるものとを互いに４５度ずらすようにして互い違いに縦方向に重ね合わせると共に、何れのトイレットペーパー単体Ａもその一つの隅角部が、正面側に向くように配置するように構成したから、突出状態にある隅角部を摘むことによって、一単位ずつのトイレットペーパー単体Ａの取出しが、極めて容易に達成される。  同時に、同一箇所に存在する次段の隅角部は、その間に４５度ずらされて位置するトイレットペーパー単体の存在が一種のスペーサー的役割を果し、これを同時に摘んでしまうようなことをよく回避させることとなる。          
【００１７】
従って、本考案に依れば、トイレの片隅等手の届く場所に適宜の棚または容器等に収容して使用することにより、麻痺等により手の動きが不自由な者であっても、１単位ずつのトイレットペーパーをスムーズにとることが出来、すなわち、従来のようなロール型のトイレットペーパーのように両手を使う必要が無く、かつ上述したスペーサー効果に基づき１単位ずつやや離された状態で１回分のトイレットペーパーが存在するため、これの隅角部を摘むことにより、その取り出しが極めて容易に果されることとなる。  
【００１８】
従って、介護人の手を煩わせず自分で始末することができ、また、一回分の量を取り出すことができるので、トイレットペーパーの無駄使いを防ぎ、経済的効果も奏することが出来る。
【００１９】
本考案は請求項２に記載のような構成、すなわち、一回に使用する分量のトイレットペーパーを正方形状に重ね合わせて１単位のトイレットペーパー単体Ａを形成し、所要単位数の当該トイレットペーパー単体Ａを、上位にあるものと下位にあるものとを互いに４５度ずらすようにして互い違いに縦方向に重ね合わせるように構成したトイレットペーパー群Ｍを、その何れのトイレットペーパー単体Ａもその一つの隅角部が正面側に向くようにして、正面を開口面とする縦長状を呈する容体１内に収容し、更に、当該容体１の背面寄り内部に、当該トイレットペーパー群Ｍの背面側の各隅角部をしっくりと受け入れることによってその積重ね状態での安定化を図るための安定用ガイド板３を衝立状に収装するように構成したから、請求項１で述べた作用効果を奏すると共に、トイレットペーパー群Ｍの安定性が図られ、その使い勝手がより一層高められることとなる。
【００２０】
すなわち、容体１と安定用ガイド板３の存在に基づき、トイレットペーパー群Ｍの整然たる積重ね状態が保持されるため、これが乱れることによる摘み出し上の阻害性発生と言うような事柄を未然に防止することとなる。  同時に、特別の棚または容器等を別途用意しなければならないと言うような使用上の煩雑性が解消される。
【００２１】
本考案は請求項３に記載のような構成、すなわち、ロール型トイレットペーパーを所要長さつづら折り状または扁平巻き回状に折畳むことにより、正方形状のトイレットペーパー単体Ａを形成するように構成することにより、一単位のトイレットペーパー単体Ａの厚さを任意に設定することが出来る。
【００２２】
本考案は請求項４に記載のような構成、すなわち、方形状を呈する大きな一枚のトイレットペーパー生地を所要回数折畳むことにより、正方形状のトイレットペーパー単体Ａを形成するように構成することにより、トイレットペーパー単体Ａの製造は、自動紙折り機を用いた自動的製造システムを採ることが許容化される。
【００２３】
本考案は請求項５に記載のような構成、すなわち、正面側が高くなるようなテーパー状上面2ａを具えた受け台２を、容体１の底面部上面に取付けると共に、当該テーパー状上面2ａ上に、トイレットペーパー群Ｍを載置するように構成することにより、トイレットペーパー群Ｍは後ろに傾斜した状態、すなわち、容体１の背面側にもたれ掛かった状態となるため、顕著な安定状態に保たれ、使用時に摘み出した際の力で前方に倒れて崩れてしまうというような事態発生をよく防止することとなる。
【００２４】
本考案は請求項６に記載のような構成、すなわち、容体１及び安定用ガイド板３と略同一形態を呈する、正面側容体10と正面側安定用ガイド板13を用いて、露出状態にある正面部分を覆うように構成することにより、本考案に係るトイレットペーパー用具を販売に供する場合、その輸送上及び取扱上の安定化が図られ、収容してあるとトイレットペーパー群Ｍが脱落してしまうというような事態発生を皆無とする。
【００２５】
本考案は請求項７に記載のような構成、すなわち、容体１部分と正面側容体10部分とを一体成形された縦長な紙箱で形成し、両者の隣接部分に切裂き用部分Ｂをミシン孔等によってその全周に亘って形成し、購入後の使用に際しては当該切裂き用部分Ｂを切離することにより、正面側容体10部分を除去するように構成することにより、例えば容体１部分と正面側容体10とを別途に製造するように構成した場合に比して、その製造の簡便化が果されると共に、製造コストを下げることが出来る。
【考案を実施するための最良の形態】
【００２６】
図１乃至図４は本考案の第１の実施例を表したものである。  図４は本考案において用いるトイレットペーパー単体Ａを表したものであって、ロール型トイレットペーパー（帯状のトイレットペーパー）を用い、これを８枚重ね或いは１２枚重ね等、つづら折り状に重ね合わせるようにして方形状に折畳むことにより、平面略正方形状を呈するトイレットペーパー単体Ａが形成されるようにしたものである。  この場合、縦11.3ｃｍ、横11.7ｃｍの略正方形状の方形トイレットペーパー単体が形成される。  なお、当該折畳み形式は上記のようなつづら折り状とすることなく、扁平巻き回状に折畳むようにしても良い。
【００２７】
なお、トイレットペーパー単体Ａの形成手段としては、上記したもの以外、例えば、方形状を呈する大きな一枚のトイレットペーパー生地を四つ折りまたは八つ折り等なすことにより、トイレットペーパーとしての使用に適した大きさ、例えば一辺１１センチメートル程度の正方形状に形成したものを用いることもできる。
【００２８】
結局、本考案に用いるトイレットペーパー単体Ａは、一回に使用する分量のトイレットペーパーが重ね合わされたものを１単位とすることが重要であり、そのための折り方等は任意なものであって可とする。  そして、図示の実施例にあっては、当該トイレットペーパー単体Ａは正確な正方形状とするように示してあるが、このような正確性はそれ程重要ではなく、縦横の長さがやや異なった正方形に近い方形のものであっても良い。  すなわち、本考案において重要な点は、全てのトイレットペーパー単体Ａが等しい大きさを具えたものとする点にあり、これが正確な正方形か否かはそれ程重要ではない。  然し乍、その各隅角部は直角であることが好ましい。
【００２９】
本考案の特徴とするところは、上記のようにして構成されている多数の方形状トイレットペーパー単体Ａを重ね合わせる際、上位にあるものと下位にあるものとを互いに４５度ずらせるように互い違いに縦方向に重ね合わせるように構成したことにある。  
【００３０】
そして、図１乃至図３は本考案の第１の実施例を表したものであって、上記したように「所要枚数のトイレットペーパー単体Ａを、上位にあるものと下位にあるものとを互いに４５度ずらせるように互い違いに縦方向に重ね合わせるように構成した」トイレットペーパー群Ｍを、その安定化を図るために所要の容体に収容するように構成したものである。
【００３１】
同図において、1は正面を開口面とする縦長状を呈する容体であって、主として厚紙等により形成されるものである。  ２は当該容体１の底面部上面に取り付けた受け台であって、正面側が高くなるようなテーパー状上面2ａを具えている。  そして、当該テーパー状上面2ａは、上述した「所要枚数のトイレットペーパー単体Ａを、上位にあるものと下位にあるものとを互いに４５度ずらせるように互い違いに縦方向に重ね合わせるように構成した」トイレットペーパー群Ｍを、夫々の一つの隅角部が正面を向けた状態で載置可能とする大きさを具えている。  すなわち、各トイレットペーパー単体Ａはそれぞれの一つの隅角部が正面側に位置するような形態で容体１内に収容されることと成るわけである。
【００３２】
３は容体１の内部背面側に衝立状に収装した安定用ガイド板であって、上記したようにして容体１内に収容されている（テーパー状上面2ａに載置されている）トイレットペーパー群Ｍの背面側の各隅角部をしっくりと受け入れることにより、その積重ね状態にズレが生じることを防止するためのものであり、従って、当該安定用ガイド板３の所要箇所には、夫々各トイレットペーパー群Ｍの周面形状と合致させるためのガイド用折曲げ部3ａが形成されている。
【００３３】
図１乃至図３に示す状態において、トイレットペーパー群Ｍを形成する各トイレットペーパー単体Ａは、上下に位置するものの隅角部が４５度ずらされた状態で位置しているため、手の不自由な者であって、当該隅角部を摘むことにより、一単位づつの取出しが許容化される。  そして、当該トイレットペーパー群Ｍは正面側が高くなるようなテーパー状上面2ａに載せられているため、背面側に傾いた状態となり、従って、最上位のトイレットペーパー単体の取り出しに際して、全体を前方に倒してしまうと言うような失敗を招くことを未然に回避することとなる。
【００３４】
なお、図２において、容体１の上方部分に空間が形成されているが、これは作図上わかり易く示したものであり、未使用状態においては、トイレットペーパーの弾力的膨らみ性に基づき、当該空間は埋められた状態となっており、使用に基づくトイレットペーパー単体Ａの減少化に基づきこのような空間が形成されてくるものである。
【００３５】
図５及び図６は本考案の第２の実施例を表したものであって、これは商品としての輸送上等、その取扱の容易性を図るように構成したものである。  すなわち、図１に示す状態のものであると、これを前方に傾けられた場合にトイレットペーパー群Ｍが飛散してしまうという事態を招き、従って、購入後の使用に際しては問題が無いも、商品としての取扱上の不便性が生じることとなる。  図５及び図６に示すものは、このような問題の解消化を図ったものである。
【００３６】
すなわち、図５及び図６に示す実施例は、図１に示す実施例おいて露出状態にある正面部分を、その容体１及び安定用ガイド板３と略同一形態を呈する、正面側容体10と正面側安定用ガイド板13を用いて、完全に覆うように構成したものである。  なお、図５に於いては、内部に収容されているトイレットペーパー群Ｍの存在を省略して描いてあるが、これは容体自体の構成を分かり易く示したためであり、実際には図１及び図２に示すような状態でトイレットペーパー群Ｍが収容されているものである。
【００３７】
そして、図５に示す第２の実施例のものは、容体１部分と正面側容体10部分とは一体成形された縦長な紙箱で形成し、両者の隣接部分に切裂き用部分Ｂをミシン孔等によってその全周に亘って形成し、商品としての取扱の際はこのような箱状態で行い、購入後の使用に際しては当該切裂き用部分Ｂを接離することにより、正面側容体10部分を取外すように構成したものである。
【００３８】
なお、トイレットペーパー群Ｍは前後対称的な形態とされているため、これを収容するための容体１と正面側容体10も、その内部に収装する安定用ガイド板３及び安定用ガイド板13を含めて、対称的な形態のもので良い。  但し、安定用ガイド板３及び安定用ガイド板13の下端部分の長さは、受け台２のテーパー状上面2ａの存在の邪魔とならないような寸法に設定しておく必要がある。
【００３９】
そして、当該正面側容体10部分の構成であるが、これは図５に示すような一体形成するようなもの以外、例えば別途製造に係る正面側容体10部分を容体１の正面側にはめ込むような形態を採るように構成することもできる。  従って、本考案における第２の実施例に於いて重要な点は、正面側容体10部分を容体１の正面側に取外し可能に設けることにあり、これの形成手段は一体的形成、または、取り外し的形成、或いは、着脱自在的形成等、その手段に限定性はない。
【００４０】
上述した本考案の第２の実施例の場合は、販売前はその正面部分が閉鎖されかつトイレットペーパー群Ｍは安定状態に保たれているため、輸送等その取扱上の至便性が図られ、購入後の使用に際しては正面側容体10部分全体を除去することにより、図１に示すような形態での利用が図られる。
【図面の簡単な説明】
【００４１】
【図１】本考案の第１の実施例を表した斜視図である。
【図２】図１におけるＸ−Ｘ線拡大断面図である。
【図３】図１におけるＹ−Ｙ線拡大断面図である。
【図４】本考案で用いるトイレットペーパー単体の一例を表した斜視図である。
【図５】本考案の第２の実施例を表した側面図である。
【図６】図５におけるＺ−Ｚ線断面図である。
【符号の説明】
【００４２】
Ａ  トイレットペーパー単体
Ｍ  トイレットペーパー単体群
１  容体
２  受け台
2ａ テーパー状上面
３  安定用ガイド板
3ａ ガイド用折曲げ部
10  正面側容体
13  正面側安定用ガイド板
Ｂ  切裂き用部分
【図１】
0003144982.tif 000003
【図２】
0003144982.tif 000004
【図３】
0003144982.tif 000005
【図４】
0003144982.tif 000006
【図５】
0003144982.tif 000007
【図６】
0003144982.tif 000008